(57)【特許請求の範囲】
【請求項１】
モータカバーとブラケットＡに保持さたステータと、軸受によって前記モータカバーと前記ブラケットＡに保持された電機子と、前記モータカバーに備えられた一対のブラシと、出力軸に設けられたインペラと、インペラの下方に配されたエアガイドと、前記インペラ及びエアガイドを覆うファンケースと、前記モータカバーの一部に取りつけられ、フラックス付着部である基板の反部品実装面に接点板を有した制御基板と、前記モータカバーに備えられ、その弾性力によって前記接点板にその先端接点部を付勢される配電板とを備え、前記接点板を前記制御基板の端部まで延設させると共に、電動送風機組立てのため前記モータカバーに、接点板が延設されたその端部から前記制御基板を挿入する際、前記配電板の先端接点部が、前記接点板上のみを摺動する構成とした電動送風機。
【発明の詳細な説明】
【０００１】
【発明の属する技術分野】
本発明は、電気掃除機の吸引用送風機等に用いられる電動送風機に関するものである。
【０００２】
【従来の技術】
近年、家庭用電気掃除機は、吸込仕事率のハイパワー化とともに、高品質、高信頼性、長寿命化が要求されている。
【０００３】
従来の電動送風機の構成を図６、図７に示す。整流子５は、複数個の整流子片６からなり、電機子コア３に巻かれている電機子巻線４の端部は整流子片６へつながれており、整流子５とともにシャフト８上に設けられ、電機子コア３、電機子巻線４、整流子５、シャフト８で電動送風機１の電機子２を構成している。電機子２のシャフト８は第１の軸受９、第２の軸受１０を介して電動送風機１の固定部であるモータカバー１１や、ブラケットＡ１２に固定されている。
【０００４】
界磁コア１４に巻かれた界磁巻線１３は巻枠１５に設けられている界磁接点板１６へつながれている。界磁巻線１３、界磁コア１４、巻枠１５、界磁接点板１６によりステータ２５を形成している。カーボンブラシ２０はモータカバー１１に固定された異形管１８に挿入され、異形管１８内を摺動し、一端が整流子５と接している。
【０００５】
出力軸のシャフト８にインペラ２４が備えられ、インペラ２４の外周部に通風路を形成するエアガイド２２が配されており、ファンケース２３がこれらを覆うように取り付けられ電動送風機１となる。電動送風機１への供給電力を制御する制御基板２６は、モータカバー１１の一部に設けられた収納部２７に挿入され収められ、収納部２７の一部に設けられている突起部２８によって端面を挿入方向へ押さえられ、制御基板２６が収納部２７から抜けるのを防止している。また、制御基板２６には電力伝達用の接点板２９が備えられている。
【０００６】
一方、モータカバー１１に備えられている配電板３０はそれ自身にバネ性があり弾性力を備えており、先端接点部３１を制御基板２６の接点板２９へ付勢しているとともに、略中間部の接点部３２をステータ２５の界磁接点板１６へ付勢し電力を伝達している。
【０００７】
上記構成において、電動送風機１に供給される電力は、まず制御基板２６に供給され、接点板２９から接点部３１を介し配電板３０を通じ、巻枠１５の界磁接点板１６から界磁巻線１３を通った後、カーボンブラシ２０、整流子片６の経路をたどり電機子巻線４へ供給され、電機子２が回転し電動送風機１が運転される。
【０００８】
【発明が解決しようとする課題】
このような従来の構成の電動送風機１では、電動送風機１に電力が供給される中で、制御基板２６の接点板２９と配電板３０の先端接点部３１の接触部分の信頼性が乏しく、制御基板２６を収納部２７に挿入する時に制御基板２６のフラックスが先端接点部３１に付着したり、電動送風機１運転中に塵埃等が付着して接触不良を引き起こす。接触不良になれば、電動送風機１が回転不能となったり、また、接点部分の異常発熱による不良に至り、信頼性に乏しい電気掃除機になる。また、制御基板２６に電力を供給するのに、接点部２９、先端接点部３１を経由するので接点箇所が多く信頼性の面で問題を有していた。
【０００９】
本発明は上記課題を解決するもので、制御基板を収納部に挿入するとき制御基板のフラックスが先端接点部に付着するのを防止し、高品質、高信頼性、長寿命の電動送風機を提供することを第１の目的としている。
【００１０】
【課題を解決するための手段】
上記第１の目的を達成するために本発明は、モータカバーの一部に取りつけられ接点板を有した制御基板と、前記モータカバーに備えられ、その弾性力によって前記接点板に付勢される配電板とを備え、前記制御基板の端部まで延設して接点板を設けたので、制御基板を挿入するときに、配電板の接点部が基板の裏面のフラックス塗布部を通過することなく挿入されるので、接点部のフラックス付着による接触不良を防止することができる。
【００１１】
【発明の実施の形態】
請求項１記載の発明は、モータカバーとブラケットＡに保持さたステータと、軸受によって前記モータカバーと前記ブラケットＡに保持された電機子と、前記モータカバーに備えられた一対のブラシと、出力軸に設けられたインペラと、インペラの下方に配されたエアガイドと、前記インペラ及びエアガイドを覆うファンケースと、前記モータカバーの一部に取りつけられ、フラックス付着部である基板の反部品実装面に接点板を有した制御基板と、前記モータカバーに備えられ、その弾性力によって前記接点板にその先端接点部を付勢される配電板とを備え、接点板を前記制御基板の端部まで延設させると共に、電動送風機組立てのため前記モータカバーに、接点板が延設されたその端部から前記制御基板を挿入する際、前記配電板の先端接点部が、前記接点板上のみを摺動する構成としたので制御基板を挿入するときに、配電板の接点部が基板の裏面のフラックス塗布部を通過することなく挿入されるので、接点部のフラックス付着による接触不良を防止することができる。
【００１２】
【実施例】
（実施例１）
以下本発明の第１の実施例を図１、２を参照しながら説明する。
【００１３】
図に示すように、電動送風機５１に供給される電力を所望に応じて制御する制御基板６４は、モータカバー５４の一部に設けられた制御基板収納部６８に矢印Ｄ方向に挿入され、また収納部６８の入り口部付近に備えられている抜け防止用突起６９によって保持されている。制御基板６４には反部品実装面６４ｂから実装面６４ａにかけ両面に亘って連なる形で電力伝達用の接点板６５が設けられている。また、バネ用リン青銅等の弾力性のある材質からなる配電板６６は一端をモータカバー５４に固定されおり、他方の先端部に設けられた先端接点部６７は接点板６５に付勢され、かつ、略中間部分に備えられた中間接点部７１はステータ５９の界磁接点板７０へ付勢され両間の電力伝達を担っている。
【００１４】
上記構成において動作を説明すると、電動送風機５１を組立てる工程において、制御基板６４をモータカバー５４の収納部６８へ挿入する際、制御基板６４側へ付勢されている配電板６６の先端接点部６７は、制御基板６４の端部から所定の位置までフラックス付着部である基板の反部品実装面を摺動することなく接点板６５上のみを摺動されながら挿入されるので、先端接点部６７と接点板６５間にフラックスが付着することが防止できる。なお、接点板６５の配置については、制御基板６４を挿入方向Ｄに挿入すると先端接点部６７と接する箇所が移動していくが、この先端部接点部６７と接する軌跡に少なくとも接点板６５を配置すれば良い。
【００１５】
（実施例２）
以下に本発明の第２の実施例について図３を参照しながら説明する。第１の実施例と同一部品については、同一符号を付して説明を省略する。
【００１６】
図３に示すように、配電板８１の先端部を略逆Ｕ字形状とし制御基板６４の接点板６５の両側を覆う形であり、先端部の略逆Ｕ字形状の内側に設けられた複数の接点部Ａ８２と接点部Ｂ８３によって、制御基板６４の両側から接点板６５に接している。
【００１７】
上記構成において、動作を説明すると、制御基板６４がモータカバー５４の収納部６８に挿入された状態で、配電板８１の先端接点部Ａ８２と先端接点部Ｂ８２は接点板６５に対し制御基板６４の両側より、しかも複数箇所で接触するので、塵埃等の異物が一方の接触部に挟み込まれて接触不良になっても、他方で接触を確保し、接触不良となるのを防止する。
【００１８】
（実施例３）
以下に本発明の第３の実施例について図４を参照しながら説明する。上記実施例と同一部品については、同一符号を付して説明を省略する。
【００１９】
図４に示すように、配電板８５の先端部が制御基板６４に対し略垂直方向に曲げられた形状をしており、それ自身の弾性力で基板挿入方向に付勢されながら、制御基板６４の端面部分で屈曲した接点板６５にも接している。
【００２０】
上記構成において、動作を説明すると、制御基板６４がモータカバー５４の収納部６８に挿入された状態で、配電板８５の先端接点部Ｃ８６と先端接点部Ｄ８７は接点板６５に対し制御基板６４の反部品実装面６４ｂと、端面部の両方向より、しかも複数箇所で接触するので、塵埃等の異物が一方の接触部に挟み込まれて接触不良になっても、他方で接触を確保し、接触不良となるのを防止する。また、制御基板６４は、その端部を配電板８５の弾性で反挿入方向へ付勢され、収納部６８の抜け防止突起６９とに挟み込まれて保持されているので、基板挿入方向の振動に対し強くなっており、接触部分での微震動による電磁ノイズの発生を防止できる。
【００２１】
（実施例４）
以下に本発明の第４の実施例について図５を参照しながら説明する。上記実施例と同一部品については、同一符号を付して説明を省略する。
【００２２】
図５に示すように、電動送風機５１に供給される電力を所望に応じて制御する制御基板６４は、モータカバー５４の一部に設けられた制御基板収納部６８に挿入され、収納部６８の入り口部付近に備えられている抜け防止用突起６９によって保持されている。ステータ５９に備えられた界磁接点板９０は、バネ用リン青銅等の弾力性のある材質からなり、一端が制御基板６４方向へ突出し、先端部に接点部９１を有している。界磁接点板９０はそれ自身の弾力によって先端の接点部９１が制御基板６４の接点板６５に接触し制御基板６４とステータ５９の間の電力伝達を担っている。
【００２３】
上記構成において動作を説明すると、電動送風機５１内部での電力伝達手段において、従来の配電板を削除し部品点数を低減できる。また、接点箇所が少なくでき電動送風機の信頼性を向上することができる。
【００２４】
なお、上記構成を、前記第１、第２、第３の実施例の構成と組合わせても、効果が得られることは言うまでもなく明らかである。
【００２５】
【発明の効果】
以上の実施例からも明らかなように、本発明によれば、配電板の先端接点部へのフラックスの付着が防止でき、フラックスによる接触不良をなくせるので、信頼性の高い電気掃除機用電動送風機を提供することができる。
【図面の簡単な説明】
【図１】  本発明の第１の実施例を示す電動送風機の一部破断側面図
【図２】  同電動送風機の要部断面図
【図３】  本発明の第２の実施例を示す電動送風機の要部断面図
【図４】  本発明の第３の実施例を示す電動送風機の要部断面図
【図５】  本発明の第４の実施例を示す電動送風機の要部断面図
【図６】  （ａ）従来の電動送風機の平面図
（ｂ）同図（ａ）Ａ−Ｏ−Ｂ断面を示した側面図
【図７】  同電動送風機の要部断面図
【符号の説明】
５１  電動送風機
５４  モータカバー
６４  制御基板
６５  接点板
６６  配電板
６７  先端接点部
６８  収納部
６９  抜け防止用突起部
７０  界磁接点板
７１  中間接点部
８１  配電板
８２  接点部Ａ
８３  接点板Ｂ
８５  配電板
８６  接点部Ｃ
８７  接点部Ｄ
９０  界磁接点板
９１  接点部
【図１】
0003675045.tif 000002
【図２】
0003675045.tif 000003
【図３】
0003675045.tif 000004
【図４】
0003675045.tif 000005
【図５】
0003675045.tif 000006
【図６】
0003675045.tif 000007
【図７】
0003675045.tif 000008